【手続補正書】
【提出日】平成29年12月22日(2017.12.22)
【手続補正１】
【補正対象書類名】特許請求の範囲
【補正対象項目名】全文
【補正方法】変更
【補正の内容】
【特許請求の範囲】
【請求項１】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置であって、
前記第１のプログラム層で指定される処理対象の画像データに対して色変換を含む画像処理を実行する画像処理手段と、
前記画像処理手段で色変換された画像データを、前記第１のプログラム層が利用できる形式の画像データに変換する変換手段と
を備え、
前記第２のプログラム層が、前記画像処理手段を備える
ことを特徴とする情報処理装置。
【請求項２】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置であって、
前記第１のプログラム層で指定される処理対象の画像データを第２のプログラム層が利用できる形式の画像データに変換する変換手段と、
前記変換手段で変換された画像データに対して色変換を含む画像処理を実行する画像処理手段を備え、
前記第２のプログラム層が、前記画像処理手段を備える
ことを特徴とする情報処理装置。
【請求項３】
前記第１のプログラム層は、ウェブ標準言語で記述されている
ことを特徴とする請求項１または２に記載の情報処理装置。
【請求項４】
前記第２のプログラム層は、前記画像データを色変換するための、出力先のデバイスに対応する色変換データを保持する保持手段を備え、
前記画像処理手段は、前記色変換データに基づいて、前記画像データの色変換を行う
ことを特徴する請求項１乃至３のいずれか１項に記載の情報処理装置。
【請求項５】
前記第２のプログラム層は、前記画像データを色変換するための、出力先のデバイスに対応する色変換データを取得して、保存する保存手段を備え、
前記画像処理手段は、前記色変換データに基づいて、前記画像データの色変換を行う
ことを特徴とする請求項１乃至４のいずれか１項に記載の情報処理装置。
【請求項６】
前記第１のプログラム層は、出力先のデバイスに対応する色変換データを選択する選択手段を備え、
前記画像処理手段は、前記選択手段で選択された色変換データに基づいて、前記画像データの色変換を行う
ことを特徴とする請求項１乃至５のいずれか１項に記載の情報処理装置。
【請求項７】
前記画像処理手段は、前記画像データに含まれる色変換データに基づいて、該画像データの色変換を行う
ことを特徴とする請求項１乃至６のいずれか１項に記載の情報処理装置。
【請求項８】
前記画像処理手段は、当該情報処理装置のＯＳに含まれる、出力先のデバイスに対応する色変換データに基づいて、前記画像データの色変換を行う
ことを特徴とする請求項１乃至６のいずれか１項に記載の情報処理装置。
【請求項９】
前記画像処理手段は、当該情報処理装置と接続する外部デバイスが保持する、出力先のデバイスに対応する色変換データに基づいて、前記画像データの色変換を行う
ことを特徴とする請求項１乃至６のいずれか１項に記載の情報処理装置。
【請求項１０】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置の制御方法であって、
前記第１のプログラム層で指定される処理対象の画像データに対して色変換を含む画像処理を実行する画像処理工程と、
前記画像処理工程で色変換された画像データを、前記第１のプログラム層が利用できる形式の画像データに変換する変換工程と
を備え、
前記第２のプログラム層を用いて、前記画像処理工程が実行される
ことを特徴とする情報処理装置の制御方法。
【請求項１１】
プロセッサで翻訳され実行されるための命令セットを含む第１のプログラム層と、前記プロセッサ以外で予め翻訳された命令セットを含む第２のプログラム層とを包含するプログラムを、前記プロセッサで実行する情報処理装置の制御方法であって、
前記第１のプログラム層で指定される処理対象の画像データを第２のプログラム層が利用できる形式の画像データに変換する変換工程と、
前記変換工程で変換された画像データに対して色変換を含む画像処理を実行する画像処理工程を備え、
前記第２のプログラム層を用いて、前記画像処理工程が実行される
ことを特徴とする情報処理装置の制御方法。
【請求項１２】
ウェブ標準言語で記述された第１のプログラム層と、ウェブ標準言語とは異なるプログラム言語で記述された第２のプログラム層と、を包含するプログラムを実行するコンピュータに、
前記第１のプログラム層で指定される処理対象の画像データに対して色変換を含む画像処理を実行する画像処理工程と、
前記画像処理工程で色変換された画像データを、前記第１のプログラム層が利用できる形式の画像データに変換する変換工程とを実行させ、
前記第２のプログラム層を用いて、前記画像処理工程が実行され、
前記ウェブ標準言語で記述された第１のプログラム層は前記コンピュータにより翻訳され、前記ウェブ標準言語とは異なるプログラム言語で記述された第２のプログラム層は、前記コンピュータ以外で予め翻訳されていることを特徴とする前記コンピュータが読み取り可能なプログラム。
【請求項１３】
ウェブ標準言語で記述された第１のプログラム層と、ウェブ標準言語とは異なるプログラム言語で記述された第２のプログラム層と、を包含するプログラムを実行するコンピュータに、
前記第１のプログラム層で指定される処理対象の画像データを前記第２のプログラム層が利用できる形式の画像データに変換する変換工程と、
前記変換工程で変換された画像データに対して色変換を含む画像処理を実行する画像処理工程とを実行させ、
前記第２のプログラム層を用いて、前記画像処理工程が実行され、
前記ウェブ標準言語で記述された第１のプログラム層は前記コンピュータにより翻訳され、前記ウェブ標準言語とは異なるプログラム言語で記述された第２のプログラム層は、前記コンピュータ以外で予め翻訳されていることを特徴とする前記コンピュータが読み取り可能なプログラム。
【請求項１４】
前記画像データを色変換するための、出力先のデバイスに対応する色変換データを保持する保持工程を前記コンピュータに更に実行させ、
前記第２のプログラム層を用いて前記保持工程が実行され、
前記画像処理工程では、前記色変換データに基づいて、前記画像データの色変換を行うことを特徴する請求項１２または１３に記載のプログラム。
【請求項１５】
出力先のデバイスに対応する色変換データを選択する選択工程を前記コンピュータに更に実行させ、
前記第１のプログラム層を用いて前記選択工程が実行され、
前記画像処理工程では、前記選択工程で選択された色変換データに基づいて、前記画像データの色変換を行うことを特徴とする請求項１２乃至１４のいずれか１項に記載のプログラム。
【請求項１６】
前記画像処理工程では、前記画像データに含まれる色変換データに基づいて、該画像データの色変換を行うことを特徴とする請求項１２乃至１５のいずれか１項に記載のプログラム。
【請求項１７】
前記画像処理工程では、前記コンピュータが動作する情報処理装置のオペレーティングシステムに含まれる、出力先のデバイスに対応する色変換データに基づいて、前記画像データの色変換を行うことを特徴とする請求項１２乃至１５のいずれか１項に記載のプログラム。
【請求項１８】
前記画像処理工程では、前記コンピュータが動作する情報処理装置と接続する外部デバイスが保持する、出力先のデバイスに対応する色変換データに基づいて、前記画像データの色変換を行うことを特徴とする請求項１２乃至１５のいずれか１項に記載のプログラム。